(57)【要約】【課題】電話機及びその載置台の双方にデータ伝送専用のデータ端子や受発光部を設けなくとも、電話機から当該電話機が載置されている載置台に情報を送信することができる電話機システム、電話機及び載置台を提供すること。【解決手段】電話機と当該電話機を載置する載置台とを有する電話機システムであって、前記電話機は、前記載置台に載置された際に当該載置台と対向する対向面に設けられた発光素子と、前記載置台に載置されている場合に、伝送情報に対応する点滅パターンによって前記発光素子を発光させる発光制御手段と、を備え、前記載置台は、前記発光素子からの光を受光する受光素子と、前記受光素子が受光した光の前記点滅パターンに基づいて前記伝送情報を取得する取得手段と、を備える。【選択図】図２
2011035762.tif 000002
【特許請求の範囲】
【請求項１】
電話機と当該電話機を載置する載置台とを有する電話機システムであって、
前記電話機は、
前記載置台に載置された際に当該載置台と対向する対向面に設けられた発光素子と、
前記載置台に載置されている場合に、伝送情報に対応する点滅パターンに基づいて前記発光素子の発光を制御する発光制御手段と、
を備え、
前記載置台は、
前記発光素子からの光を受光する受光素子と、
前記受光素子が受光した光の前記点滅パターンに基づいて前記伝送情報を取得する取得手段と、
を備える、
ことを特徴とする電話機システム。
【請求項２】
請求項１に記載の電話機システムであって、
前記発光素子は、前記電話機が前記載置台に載置されていない場合であって、前記電話機が他の電話機と通話状態である場合に、前記発光制御手段により発光させられる通話中ランプであることを特徴とする電話機システム。
【請求項３】
請求項１に記載の電話機システムであって、
前記発光素子は、光透過性の操作キーの内部に設けられ、前記電話機が前記載置台に載置されていない場合であって、前記操作キーに対する操作が有効である場合に、前記発光制御手段により発光させられることを特徴とする電話機システム。
【請求項４】
請求項１乃至３の何れか一項に記載の電話機システムであって、
前記載置台は、前記取得手段が取得した伝送情報に基づいてユーザに情報を提供する情報提供手段を更に備えることを特徴とする電話機システム。
【請求項５】
請求項４に記載の電話機システムであって、
前記情報提供手段は、前記伝送情報に基づいて表示部に情報を表示させることによりユーザに情報を提供することを特徴とする電話機システム。
【請求項６】
請求項４に記載の電話機システムであって、
前記情報提供手段は、前記伝送情報に基づいて音出力部から音を出力させることによりユーザに情報を提供することを特徴とする電話機システム。
【請求項７】
請求項４に記載の電話機システムであって、
前記情報提供手段は、前記伝送情報に基づいて発光部を発光させることによりユーザに情報を提供することを特徴とする電話機システム。
【請求項８】
請求項５乃至７の何れか一項に記載の電話機システムであって、
前記伝送情報は、前記電話機が他の電話機からの着信中であることを示す着信中情報であることを特徴とする電話機システム。
【請求項９】
請求項１乃至８の何れか一項に記載の電話機システムであって、
前記載置台は、記憶媒体を着脱可能に保持するスロット部を更に備え、
前記スロット部に保持された前記記憶媒体は、前記伝送情報を記憶することを特徴とする電話機システム。
【請求項１０】
請求項１乃至９の何れか一項に記載の電話機システムであって、
前記電話機の受話口又は送話口の少なくとも何れか一方は、当該電話機の前記対向面に設けられていることを特徴とする電話機システム。
【請求項１１】
請求項１乃至１０の何れか一項に記載の電話機システムであって、
前記載置台は、
載置されている前記電話機に電力を供給する電力供給端子と、
外部電源から取得した電力を、前記電力供給端子を介して前記電話機に供給する供給手段と、
を更に備え、
前記電話機は
前記供給手段から供給された電力を入力する電力入力端子と、
前記電力入力端子を介して入力された電力を蓄電する蓄電手段と、
を更に備えることを特徴とする電話機システム。
【請求項１２】
請求項１乃至１１の何れか一項に記載の電話機システムが有する電話機。
【請求項１３】
請求項１乃至１１の何れか一項に記載の電話機システムが有する載置台。
【発明の詳細な説明】
【技術分野】
【０００１】
本願は、電話機システム、電話機及び載置台に関する。
【背景技術】
【０００２】
従来、外線に繋がる一台の電話機を親機として、それに幾つかの子機が無線で繋がるように構成されたいわゆるコードレス親子電話機がある。子機に備えられたバッテリーは、非通話時に充電台に載置されることによって充電される。つまり、充電台は、子機が載置された際に電源端子を介して子機のバッテリーに電源を供給する役割を担う。しかしながら、一般的な充電台の役割は子機のバッテリーに電源を供給するだけであった。そのため、子機から充電台に所定の情報を送信し、充電台で当該受信した所定の情報を利用することで充電台を活用できないかと考えられてきた。
【０００３】
こうした考えに基づき、表示部を有する充電台と子機との間で情報の授受を行い、充電台が子機から受信した表示情報に基づき表示部に情報を表示する、という技術が開示されている（例えば、特許文献１）。当該技術によれば、充電台の表示部に子機から受信した表示情報に基づく情報（例えば、現在時刻、外線の使用状況、子機のバッテリー残量等）が表示され、ユーザの利便性が向上すると考えられる。
【先行技術文献】
【特許文献】
【０００４】
【特許文献１】特開平９−２２４０７５号公報
【発明の概要】
【発明が解決しようとする課題】
【０００５】
しかしながら、上述した特許文献１に記載の技術では、子機から充電台に情報を送信するための専用のデータ端子や赤外線受発光部を子機及び充電台の双方に設ける必要があり、生産コストやデザインの点で問題があった。
【０００６】
本願は、上記の問題点に鑑みてなされたものであり、その目的の一例は、データ伝送専用のデータ端子や受発光部を電話機（コードレス親子電話機の子機に限らず携帯電話機等を含む）及び当該電話機が載置される載置台（充電台に限らず電話機を載置可能な台を含む）の双方に設けなくとも、電話機から載置台に情報を送信することができる電話機システム、電話機及び載置台を提供することにある。
【課題を解決するための手段】
【０００７】
上記課題を解決するために、請求項１に記載の電話機システムは、電話機と当該電話機を載置する載置台とを有する電話機システムであって、前記電話機は、前記載置台に載置された際に当該載置台と対向する対向面に設けられた発光素子と、前記載置台に載置されている場合に、伝送情報に対応する点滅パターンに基づいて前記発光素子の発光を制御する発光制御手段と、を備え、前記載置台は、前記発光素子からの光を受光する受光素子と、前記受光素子が受光した光の前記点滅パターンに基づいて前記伝送情報を取得する取得手段と、を備えることを特徴とする。
【０００８】
請求項１２に記載の発明は、請求項１乃至１１の何れか一項に記載の電話機システムが有する電話機である。
【０００９】
請求項１３に記載の発明は、請求項１乃至１１の何れか一項に記載の電話機システムが有する載置台である。
【図面の簡単な説明】
【００１０】
【図１】電話機システム１の外観図である。
【図２】電話機システム１のブロック図である。
【図３】本実施形態における伝送仕様を示す概念図である。
【図４】本実施形態における伝送方式におけるパケット構成図の一例である。
【図５】本実施形態に係る子機１００の制御部１０１と充電台２００の制御部２０１により実行される着信時処理の一例を示すフローチャートである。
【図６】第２実施例における電話機システム１のブロック図である。
【図７】第３実施例における電話機システム１のブロック図である。
【発明を実施するための形態】
【００１１】
以下、本発明の実施形態について説明する。なお、本実施形態は、コードレス親子電話機の子機と、子機の充電台に対して本発明を適用した場合の実施形態である。
【００１２】
［第１実施例：伝送情報が着信情報の場合］
まず、第１実施例について図１等を用いて説明する。図１は、電話機システム１の外観図であり、図２は、電話機システム１のブロック図である。図１、図２に示すように、本実施形態に係る電話機システム１は、コードレス親子電話機の子機１００と、子機１００の充電台２００とを有する。なお、コードレス親子電話機の親機（図示しない）は電話公衆網回線に接続されており、子機１００は親機を介して電話公衆網回線と接続される。親機は、着信時や発信時に相手先の電話機との通信回線の確立及び切断を行う。また、親機は、相手先の電話機から送信された音声信号等の各種信号を無線方式によって子機１００に送信する一方、子機１００からユーザの音声信号等の各種信号を無線方式によって受信する。
【００１３】
図１左に示すように、子機１００には、子機１００が充電台２００の載置部２５１に載置された際、当該載置部２５１と対向する対向面１５０に、受話口１０５ａ、ディスプレイ１０９、ダイヤルキー１０６ａ、保留キー１０６ｅ、呼出キー１０６ｆ、選択／決定キー１０６ｄ、通話キー１０６ｂ、終話キー１０６ｃ、通話ランプ１０７、送話口１０５ｂが設けられている。また、子機１００の下端部には、電力入力端子１１０ａ、１１０ｂが設けられている。
【００１４】
他方、図１右に示すように、充電台２００には、子機１００を載置するための載置部２５１と、ディスプレイ２０４が設けられている。また、載置部２５１には、子機１００が載置された際、通話ランプ１０７と対向する位置に受光素子２０２が設けられ、更に、子機１００の電力入力端子１１０ａ、１１０ｂと接触するように電力供給端子２０６ａ、２０６ｂが設けられている。
【００１５】
［１．子機１００の構成］
図２に示すように、子機１００は、制御部１０１、無線送受信部１０２、アンテナ１０３、通話制御部１０４、送受話部１０５、操作部１０６、通話ランプ１０７、表示制御部１０８、ディスプレイ１０９、電力入力端子１１０、バッテリー１１１、電源制御部１１２、着信報知部１１３を有する。
【００１６】
制御部１０１は、ＣＰＵを中心に構成され、ＲＯＭ、ＲＡＭなどのメモリを備えており、ＣＰＵがＲＯＭに格納されている各種制御プログラムを読み出し、必要に応じてＲＡＭを使用しつつ、プログラムを実行することにより、子機１００の各種制御を行う。
【００１７】
また、制御部１０１は、充電台２００に子機１００が載置されている状態において外線から着信があった場合には、無線送受信部１０２を介して親機から相手先の電話番号及び名称を取得する。そして、制御部１０１は、取得した相手先の電話番号及び名称をディスプレイ１０９に表示させる。また、制御部１０１は、充電台２００のディスプレイ２０４に着信中である旨と相手先の電話番号及び名称を表示させるための情報を伝送情報Ｄとして、後述する所定の伝送方式によって充電台２００に伝送する。なお、制御部１０１は、相手先の電話番号を非通知設定等により取得できなかった場合には、ディスプレイ２０４に着信中である旨を表示させるための情報を伝送情報Ｄとして充電台２００に伝送する。また、制御部１０１は、相手先の電話番号を取得できたが親機又は子機１００の電話帳ＤＢ（図示しない）に相手先の電話番号が登録されておらず名称を取得できない場合には、ディスプレイ２０４に着信中である旨及び相手先の電話番号を表示させるための情報を伝送情報Ｄとして充電台２００に伝送する。
【００１８】
無線送受信部１０２は、制御部１０１の制御の下、マルチチャンネルアクセス方式によって親機との間に無線による通話リンクを確立させて、アンテナ１０３を介して音声信号等を送受信する。また、無線送受信部１０２は、外線から着信があった場合には、親機から相手先の電話番号及び名称を取得する。
【００１９】
通話制御部１０４は、相手先の電話機と通話状態となると、送話口１０５ｂ内に設けられたマイクロフォンにより集音されたユーザの音声を取り込み、その音声信号をデジタル信号に変換した上で制御部１０１に送る。そして制御部１０１は、これを無線送受信部１０２を介して親機に送信する。また、通話制御部１０４は、無線送受信部１０２及び制御部１０１を介して送信されてきた音声信号（電話相手の音声信号）を受信し、その音声信号をアナログ信号に変換した上で受話口１０５ａ内に設けられたスピーカから出力する。これにより、ユーザは電話相手と通話することができる。
【００２０】
操作部１０６は、数字や文字の入力などを行うためのダイヤルキー１０６ａ、発呼および通話の開始などを行うための通話キー１０６ｂ、通話の終了などを行うための終話キー１０６ｃ、通話の保留などを行うための保留キー１０６ｅ、親機や他の子機（図示しない）の呼出などを行うための呼出キー１０６ｆ、電話帳の登録・検索や各種モードの設定を行うための選択／決定キー１０６ｄからなる。これらの各種キーが操作されると操作内容を示す信号が制御部１０１に送信される。制御部１０１は、当該信号に応じて制御プログラムを実行することにより操作内容に応じた機能を実現させる。また、これらの各種キーは光透過性の素材によって形成されるとともに内部に発光素子が設けられており、制御部１０１の制御の下、当該各種キーを有効に操作することができる場合に点灯する。
【００２１】
通話ランプ１０７は、例えばＬＥＤ（Light Emitting Diode）で構成され、制御部１０１の制御の下、相手先の電話機と親機を介して通話状態となっている最中に点灯する。また、通話ランプ１０７は、制御部１０１の制御の下、子機１００が充電台２００の載置部２５１に載置されている際、後述する所定の伝送方式によって充電台２００に伝送すべき伝送情報Ｄを伝送するために点灯／消灯を繰り返す。
【００２２】
表示制御部１０８は、制御部１０１の制御の下、液晶ディスプレイなどにより構成されるディスプレイ１０９に表示制御信号を出力して、ディスプレイ１０９に情報を表示させる。表示される情報は、例えば、通話相手（又は着信相手）の電話番号及び名称、通話時間、通話料金、電波状態などに関する情報であり、これらは文字や画像、ピクトグラム（情報や注意を示すために表示される視覚記号）等により表示される。
【００２３】
電源制御部１１２は、充電式のバッテリー１１１に蓄えられた電源を子機１００の各部に供給する。また、電源制御部１１２は、子機１００が充電台２００に載置されている間、充電台２００から電力入力端子１１０を介して供給される電源Ｐをバッテリー１１１に蓄えさせる。
【００２４】
また、図１に示したように、電力入力端子１１０ａ、１１０ｂは、充電台２００に子機１００が載置された際に、充電台２００の電源供給端子２０６ａ、２０６ｂとそれぞれ接触する位置に形成されている。電源制御部１１２は、子機１００の電力入力端子１１０ａ、１１０ｂが充電台２００の電源供給端子２０６ａ、２０６ｂとそれぞれ接触して充電が開始されたことにより、充電台２００に子機１００が載置されたことを検出する。同様に、電源制御部１１２は、電力入力端子１１０ａ、１１０ｂと電源供給端子２０６ａ、２０６ｂとが非接触状態になったことにより充電台２００から子機１００が取り上げられたことを検出する。このように電源制御部１１２は、充電台２００に子機１００が載置されたことや、充電台２００から子機１００が取り上げられたことを検出すると当該事象を示す情報を制御部１０１へ出力する。これにより制御部１０１は、充電台２００に子機１００が載置されている状態であるか否かを判定することができる。
【００２５】
着信報知部１１３は、例えばスピーカ及びバイブレータ等により構成され、制御部１０１の制御の下、外線からの着信中に外線から着信中であることをユーザに報知する。具体的には、制御部１０１は、ユーザによりバイブレータ機能がＯＦＦに設定されている場合にはスピーカから着信音を出力させ、バイブレータ機能がＯＮに設定されている場合にはバイブレータを振動させる。これにより、ユーザは外線からの着信中であることを認識することができる。
【００２６】
［２．充電台２００の構成］
充電台２００は、制御部２０１、受光素子２０２、表示制御部２０３、ディスプレイ２０４、充電部２０５、電力供給端子２０６、メモリ２５０を着脱可能に保持するメモリスロット２０７を有する。
【００２７】
制御部２０１は、ＣＰＵを中心に構成され、ＲＯＭ、ＲＡＭなどのメモリを備えており、ＣＰＵがＲＯＭに格納されている各種制御プログラムを読み出し、必要に応じてＲＡＭを使用しつつ、プログラムを実行することにより、充電台２００の各種制御を行う。
【００２８】
充電部２０５は、外部電源から電源供給線Ｃを介して供給される電源を取得して、取得した電源を電力供給端子２０６を介して子機１００へ供給する。また、充電部２０５は、充電台２００の電源供給端子２０６ａ、２０６ｂと子機１００の電力入力端子１１０ａ、１１０ｂがそれぞれ接触して充電が開始されたことにより、充電台２００に子機１００が載置されたことを検出する。同様に、充電部２０５は、充電台２００の電源供給端子２０６ａ、２０６ｂと子機１００の電力入力端子１１０ａ、１１０ｂが非接触状態となったことにより、充電台２００から子機１００が取り上げられたことを検出する。このように充電部２０５は、充電台２００に子機１００が載置されたことや、充電台２００から子機１００が取り上げられたことを検出すると当該事象を示す情報を制御部２０１へ出力する。これにより制御部２０１は、充電台２００に子機１００が載置されている状態であるか否かを判定することができる。
【００２９】
受光素子２０２は、例えばフォトダイオードやフォトトランジスタで構成され、光を検出する。受光素子２０２は光を検出すると、制御部２０１に光検出信号を送信する。これに対して制御部２０１は、充電台２００に子機１００が載置されている状態において、受光素子２０２から光検出信号を受信した場合には、光検出信号が通話ランプ１０７の点灯によるものであると判断して、後述する所定の伝送方式と当該光検出信号とに基づいて伝送情報Ｄを取得する。また、制御部２０１は、充電台２００に子機１００が載置されていない状態において、受光素子２０２から光検出信号を受信した場合には、受光素子２０２が蛍光灯など通話ランプ１０７以外からの光を検出したものと判断して、伝送情報Ｄを取得するための処理を行わない。なお、受光素子２０２は、充電台２００に子機１００が載置されている状態において通話ランプ１０７以外からの光を誤検出しないように、充電台２００に子機１００が載置された際に、通話ランプ１０７と対向する位置に設けるのが好適である（図１参照）。更に、載置部２５１に凹部を設けてその底部に受光素子２０２を設けることにより、通話ランプ１０７以外の外部からの光を誤検出する可能性を低くすることができる。
【００３０】
表示制御部２０３は、制御部２０１の制御の下、液晶ディスプレイなどにより構成されるディスプレイ２０４に表示制御信号を出力して、ディスプレイ２０４に情報を表示させる。例えば、表示制御部２０３は、子機１００が載置部２５１に載置されている場合に、制御部２０１が取得した伝送情報Ｄに基づいて、着信中である旨、相手先の電話番号及び名称等を、文字や画像によって表示する。なお、表示制御部２０３は、子機１００が載置部２５１に載置されていない場合には、画像等を表示することとしてもよいし、消費電力を抑制するために何も表示しないこととしてもよい。
【００３１】
メモリスロット２０７は、ＳＤ（Secure Digital）メモリカードやマルチメディアカード等のメモリ２５０を着脱可能に保持し、メモリ２５０は、子機１００から取得した伝送情報Ｄ等を記憶する。本実施例では特に、メモリ２５０は着信があった相手先の電話番号や名称等を着信履歴として記憶する。これにより、メモリスロット２０７からメモリ２５０を取り外し、情報端末装置と接続することによって当該情報端末装置で伝送情報Ｄを活用することができる。また、子機１００から、伝送情報Ｄに着信時刻を示す情報を含めて伝送してもらう構成とし、加えて、メモリ２５０が当該伝送情報Ｄに基づいて、相手先の電話番号や名称等とともに着信時刻を着信履歴として記憶する構成とすることにより、情報端末装置で活用する際、用途を多様化させることができる。
【００３２】
なお、第１実施例の電話機システム１は本発明の電話機システムの一例であり、子機１００は本発明の電話機の一例であり、また、充電台２００は本発明の載置台の一例である。また、通話ランプ１０７は本発明の発光素子の一例であり、受光素子２０２は本発明の受光素子の一例である。更に、子機１００の制御部１０１は本発明の発光制御手段の一例であり、充電台２００の制御部２０１は本発明の取得手段、情報提供手段の一例であり、また、ディスプレイ２０４は本発明の表示部の一例である。更にまた、メモリスロット２０７は本発明のスロット部の一例であり、メモリ２５０は本発明の記憶媒体の一例である。更にまた、電力供給端子２０６は本発明の電力供給端子の一例であり、充電部２０５は本発明の供給手段の一例である。更にまた電力入力端子１１０は本発明の電力入力端子の一例であり、バッテリー１１１は本発明の蓄電手段の一例である。更にまたダイヤルキー１０６ａ、通話キー１０６ｂ、終話キー１０６ｃ、保留キー１０６ｅ、呼出キー１０６ｆ、選択／決定キー１０６ｄは本発明の操作キーの一例である。
【００３３】
［３．伝送情報の伝送方式］
次に、図３及び図４を参照して、本実施形態における伝送情報Ｄの伝送方式について説明する。なお、図３は、本実施形態における伝送仕様を示す概念図である。図４は、本実施形態における伝送方式におけるパケット構成図の一例である。
【００３４】
図３に示すように、本実施形態における伝送方式では、通話ランプ１０７（ＬＥＤ）の点灯を値「０」、消灯を値「１」に対応させ、調歩同期式シリアル通信方式を用いて、８ビット（bit）の情報ビット（ｂ0からｂ7）を送信する。また、パリティビットＰを付加することにより情報ビット８ビット単位での信頼性を高めることができる。このように子機１００の制御部１０１は、伝送情報Ｄに対応する、通話ランプ１０７の点灯と消灯の組み合わせ（すなわち、点滅パターン）によって、当該伝送情報Ｄを伝送する。
【００３５】
具体的には、子機１００が充電台２００のディスプレイ２０４に文字を表示するためのテキスト情報を伝送情報Ｄとして伝送する場合には、図４に示すような構成のパケットを、上述した８ビット（１byte）伝送を連続することにより伝送する。パケットは、テキスト開始を示す伝送制御キャラクタ（ＳＴＸ：start of text）、文字コード（８ビットＪＩＳ）からなるデータ（ＤＡＴ：data）、テキスト終了を示す伝送制御キャラクタ（ＥＴＸ：end of text）、チェックサム（ＣＳ：checksum）により構成されている。ＳＴＸ、ＥＴＸ及びＣＳはそれぞれ１byteであり、ＤＡＴは伝送するテキスト情報の量により異なる。例えば、ディスプレイ２０４の１行目に「チャクシンチュウ（ＣＲ）」（ＣＲ：改行コードであって、ディスプレイ２０４には表示されない）、２行目に「０９０−１２３４−５６７８（ＣＲ）」、３行目に「タナカイチロウ」と表示する場合には、ＤＡＴは１行目の９文字分（改行コードを含む）の文字コード（９byte）、２行目の１４文字分（改行コードを含む）の文字コード（１４byte）、３行目の７文字分の文字コード（７byte）の、合わせて３０byteとなる。
【００３６】
一方、受信側である充電台２００の制御部２０１は、調歩同期式シリアル通信方式に従ってサンプリングを行う。具体的には、所定のタイミング毎に、受光素子２０２が通話ランプ１０７（ＬＥＤ）の光を検出した（すなわち、点灯である）場合に「０」と識別し、光を検出しなかった（すなわち、消灯である）場合に「１」と識別する。そして、制御部２０１は、パリティビットＰやチェックサムＣＳを用いてサンプリングしたデータ（すなわち、識別した「０」及び「１」）が適切であるかを判断した上で伝送情報Ｄを取得する。このように充電台２００の制御部２０１は、通話ランプ１０７の点灯と消灯の組み合わせ（すなわち、点滅パターン）を検出することによって伝送情報Ｄを取得する。そして、制御部２０１は、取得した伝送情報Ｄに基づいて、表示制御部２０３から表示制御信号をディスプレイ２０４に対して出力させ、テキスト情報をそのままテキスト表示させる。
【００３７】
なお、子機１００の制御部２０１は、子機１００が充電台２００から取り上げられるか、又は着信が切れる（例えば、相手が呼出を止めたり、図示しない他の子機が応答する）まで、送信エラーに備えて繰り返しパケットを送信する。すなわち、制御部２０１は、パケット（ＳＴＸ＋ＤＡＴ＋ＥＴＸ＋ＣＳ）に対応する通話ランプ１０７の点灯／消灯制御を繰り返す。これにより受信側で正しく伝送情報Ｄを取得できなかった場合であっても、再度サンプリングを行うことにより伝送情報Ｄを取得できる。
【００３８】
以上、伝送情報の伝送方式について説明したが、本発明の伝送方式はこれに限定されず、光の点滅パターンによって情報を伝送可能なその他公知の伝送方式を用いることができる。
【００３９】
［４．子機１００（制御部１０１）及び充電台２００（制御部２０１）の動作］
次に、図５を参照して、本実施形態に係る子機１００の制御部１０１及び充電台２００の制御部２０１の動作について説明する。図５は、本実施形態に係る子機１００の制御部１０１と充電台２００の制御部２０１により実行される着信時処理の一例を示すフローチャートである。なお、着信時処理は、親機を介して子機１００が外線より着信を受けた場合に実行される処理であって、特に子機１００のディスプレイ１０９、充電台２００のディスプレイ２０４に情報を表示するための処理である。したがって、子機１００の制御部１０１は、図示しないが、着信時処理と並行して子機としての通話機能を果たすための処理を行う。
【００４０】
まず、子機１００の制御部１０１は、着信があるまで待機状態を維持し（Ｓ１０１：ＮＯ）、着信があると（Ｓ１０１：ＹＥＳ）、無線送受信部１０２を介して親機から着信相手の電話番号及び名称を取得する（Ｓ１０２）。
【００４１】
次いで、制御部１０１は、子機１００が充電台２００に載置されているか否か判定する（Ｓ１０３）。このとき、制御部１０１は、子機１００が充電台２００に載置されていないと判定したときには（Ｓ１０３：ＮＯ）、Ｓ１０６に移行する。一方、制御部１０１は、子機１００が充電台２００に載置されていると判定したときには（Ｓ１０３：ＹＥＳ）、取得した着信相手の電話番号及び名称に基づいて、充電台２００のディスプレイ２０４に着信中である旨、着信相手の電話番号及び名称を表示させるための情報を伝送情報Ｄとして生成する（Ｓ１０４）。次いで、制御部１０１は、生成した伝送情報Ｄと上述した伝送方式に基づいて、通話ランプの点灯／消灯を制御して（Ｓ１０５）、Ｓ１０６に移行する。なお、制御部１０１は、図５に示すフロー上ではＳ１０５の処理後Ｓ１０６に移行するが、並行して子機１００が充電台２００から取り上げられるまでパケット送信を継続する。
【００４２】
次いで、制御部１０１は、表示制御部１０８を介して、ディスプレイ１０９に着信相手の電話番号及び名称を表示させる（Ｓ１０６）。
【００４３】
次いで、制御部１０１は、着信が切れたか否かを判定する（Ｓ１０７）。具体的には、制御部１０１は、相手が呼出を止めたか（又は、図示しない他の子機が応答したか）否かを判定する。このとき、制御部１０１は、着信が切れたと判定したときには（Ｓ１０７：ＹＥＳ）、充電台２００に着信が切れたことを通知するために、Ｓ１０５の処理で開始した通話ランプ１０７の点滅制御を終了する（Ｓ１０８）。すなわち、制御部１０１は、通話ランプ１０７を消灯状態とすることにより、充電台２００に着信が切れたことを通知する。一方、制御部１０１は、着信が切れていないと判定したときには（Ｓ１０７：ＮＯ）、次いで、子機１００が充電台２００から取り上げられたか否かを判定する（Ｓ１０９）。このとき、制御部１０１は、子機１００が充電台２００から取り上げられていないと判定したときには（Ｓ１０９：ＮＯ）、Ｓ１０７に移行する。すなわち、制御部１０１は、着信が切れるか、又は子機１００が充電台２００から取り上げられるまで、Ｓ１０７及びＳ１０９の処理を繰り返す。
【００４４】
一方、制御部１０１は、子機１００が充電台２００から取り上げられた（すなわち、子機１００での通話が開始された）と判定したときには（Ｓ１０９：ＹＥＳ）、Ｓ１０５の処理で開始した通話ランプ１０７の点滅制御を終了する（Ｓ１１０）。次いで、制御部１０１は、通話が終了したか否かを判定する（Ｓ１１１）。具体的には、制御部１０１は、終話キー１０６ｃが操作されたか否かを判定する。このとき、制御部１０１は、通話が終了していないと判定したときには（Ｓ１１１：ＮＯ）、Ｓ１１１の処理を繰り返し、通話が終了するまで待機する。一方、制御部１０１は、通話が終了したと判定したときには（Ｓ１１１：ＹＥＳ）、ディスプレイ１０９における着信相手の電話番号及び名称の表示を終了させ（Ｓ１１２）、着信時処理を終了する。
【００４５】
なお、制御部１０１は、Ｓ１０８の処理で、通話ランプ１０７の点滅制御を終了することにより充電台２００に着信が切れたことを通知しているが、これに代えて、着信が切れたことを示す情報を、上述した伝送方式を用いて伝送することにより通知してもよい。
【００４６】
次に、充電台２００の制御部２０１の動作について説明する。制御部２０１は、子機１００が充電台２００に載置されている否かを判定する（Ｓ２０１）。このとき、制御部２０１は、子機１００が充電台２００に載置されていないと判定したときには（Ｓ２０１：ＮＯ）、子機１００が充電台２００に載置されるまでＳ２０１の処理を繰り返す。一方、制御部２０１は、子機１００が充電台２００に載置されていると判定したときには（Ｓ２０１：ＹＥＳ）、次いで、光を検出したか否かを判定する（Ｓ２０２）。具体的には、制御部２０１は、受光素子２０２から光検出信号を受信したか否かを判定する。このとき、制御部２０１は、光を検出していないと判定したときには（Ｓ２０２：ＮＯ）、Ｓ２０１の処理に移行する。つまり、制御部２０１は、子機１００が充電台２００に載置されている状態において、受光素子２０２から光検出信号を受信するまで、Ｓ２０１又はＳ２０２の処理を繰り返す。一方、制御部２０１は、光を検出したと判定したときには（Ｓ２０２：ＹＥＳ）、上述した伝送方式に基づいて通話ランプ１０７の点灯／消灯をサンプリングする（Ｓ２０３）。
【００４７】
次に、制御部２０１は、伝送情報Ｄを取得できたか否かを判定する（Ｓ２０４）。具体的には、制御部２０１は、サンプリングしたデータをパリティビットＰやチェックサムを用いてチェックして、問題がなければ伝送情報Ｄを取得できたと判定し（Ｓ２０４：ＹＥＳ）、Ｓ２０５の処理に移行する。一方、サンプリングしたデータに問題があれば伝送情報Ｄを取得できなかったと判定し（Ｓ２０４：ＮＯ）、Ｓ２０３に移行してサンプリングをやり直す。
【００４８】
次に、制御部２０１は、取得した伝送情報Ｄをメモリ２５０に記録する（Ｓ２０５）。なお、制御部２０１は、メモリスロット２０７にメモリ２５０が装着されていない場合にはＳ２０５の処理をスキップする。次いで、制御部２０１は、取得した伝送情報Ｄに基づいて、表示制御部２０３を介してディスプレイ２０４に着信中である旨、着信相手の電話番号及び名称を表示させる（Ｓ２０６）。
【００４９】
次に、制御部２０１は、子機１００が充電台２００から取り上げられたか否かを判定する（Ｓ２０７）。このとき、制御部２０１は、子機１００が充電台２００から取り上げられたと判定した場合には（Ｓ２０７：ＹＥＳ）、ディスプレイ２０４における着信中である旨、着信相手の電話番号及び名称の表示を終了させ（Ｓ２０９）、着信時処理を終了する。一方、制御部２０１は、子機１００が充電台２００から取り上げられていないと判定した場合には（Ｓ２０７：ＮＯ）、次いで、通話ランプ１０７の点滅が終了したか否かを判定する（Ｓ２０８）。
【００５０】
制御部２０１は、通話ランプ１０７の点滅が終了していないと判定した場合には（Ｓ２０８：ＮＯ）、Ｓ２０７に移行する。すなわち、制御部２０１は、子機１００が充電台２００から取り上げられか、又は通話ランプ１０７の点滅が終了するまで、Ｓ２０７及びＳ２０８の処理を繰り返す。一方、制御部２０１は、通話ランプ１０７の点滅が終了した（すなわち、着信が切れた）と判定した場合には（Ｓ２０８：ＹＥＳ）、ディスプレイ２０４における着信中である旨、着信相手の電話番号及び名称の表示を終了させ（Ｓ２０９）、着信時処理を終了する。
【００５１】
なお、図５のフローチャートには示していないが、制御部２０１がＳ２０８の処理において通話ランプ１０７の点滅が終了した（すなわち、着信が切れた）と判定した場合には、ユーザに着信があったことを報知するために、着信があった旨及び着信相手の電話番号及び名称をディスプレイ２０４に表示しておくこととしてもよい。
【００５２】
また、制御部２０１は、Ｓ２０７の処理において子機１００が充電台２００から取り上げられたと判定した場合にＳ２０９の処理を行わず、代わりに、子機１００が充電台２００に載置されたと判定した場合（すなわち、ユーザが子機１００による通話を終了した場合）にＳ２０９の処理を行うこととしてもよい（このとき、子機１００が充電台２００から取り上げられたことを契機として、着信中である旨の代わりに通話中である旨をディスプレイ２０４に表示すると好適である）。この場合、ユーザは通話しながら相手先の電話番号及び名称を確認することができる。
【００５３】
以上説明したように、第１実施例における電話システム１によれば、ユーザは、充電台２００におけるディスプレイ２０４の表示から着信中である旨及び相手先の電話番号及び名称を確認することができる。
【００５４】
［第２実施例：伝送情報が着信中であることを示す情報であって、光で報知する場合］
次に、第２実施例として伝送情報Ｄが着信中であることを示す情報（着信中データ）であって、充電台が光で着信中であることをユーザに報知する場合について説明する。第１実施例は、伝送情報Ｄとして着信中である旨、着信相手の電話番号及び名称を送信する実施例であったが、第２実施例は、単に着信中であることのみを示す情報（着信中データ）を伝送情報Ｄとして送信する実施例である。なお、第２実施例の説明にあたり第１実施例と共通する部材には同一符号を付し、それらの説明を省略する。
【００５５】
図６は、第２実施例における電話機システム１のブロック図である。子機１００の構成は、第１実施例における子機１００の構成と同様である。子機１００の制御部１０１は、充電台２００に子機１００が載置されている状態において外線から着信があった場合には、着信状態である間、着信中であることを示す着信中データを伝送情報Ｄとして充電台２００に伝送する。また、制御部１０１は、着信状態が継続している間は、着信データを示すパケットの送信を繰り返し、着信状態が解消されたとき（例えば、相手方が呼出を止めたときや、ユーザが電話に出たとき）には、着信データを示すパケットの送信を終了する。
【００５６】
着信中データは、着信中であることのみを情報として充電台２００へ伝送すればよいことから、第１実施例のようにテキスト情報を１文字分ずつ伝送する場合と比較して伝送情報量を少なくすることができる。例えば、子機１００側と充電台２００側の双方で、着信中データのビットパターンを「０００１０００１」と予め定めておけば伝送情報Ｄは１byteで済むこととなる。
【００５７】
一方、第２実施例における充電台２００は、制御部２０１、受光素子２０２、充電部２０５、電力供給端子２０６、メモリ２５０を着脱可能に保持するメモリスロット２０７、発光部２１０を有する。
【００５８】
制御部２０１は、子機１００より着信中データを伝送情報Ｄとして受信すると、発光部２１０を点灯させる。具体的には、制御部２０１は、着信中データを受信し続けている間、発光部２１０を発光させ、着信中データを受信しなくなったら、発光部２１０の発光を終了する。
【００５９】
発光部２１０は、例えば、パトランプ、エレクトロニック・フラッシュ、ＬＥＤなどで構成される。発光部２１０は、制御部２０１の制御により発光する。すなわち、発光部２１０は着信状態である間、発光して、着信状態が解消されると発光しなくなる。なお、発光部２１０から発せられる光は、ユーザに知覚されやすいようにある程度の強い光であることが好ましい。
【００６０】
以上説明した第２実施例における電話システム１によれば、騒音が著しい環境下におかれたユーザや、耳の不自由なユーザなどであっても、発光部２１０の発光によって着信中であることを知ることができる。
【００６１】
また、パトランプやエレクトロニック・フラッシュを子機１００に設けることは、携帯性やバッテリー消費、デザインの点から困難であったが、充電台２００であれば可能である。
【００６２】
なお、第２実施例の発光部２１０は本発明の発光部の一例であり、制御部２０１は本発明の情報提供手段の一例である。また、第２実施例におけるメモリ２５０は、着信があったことを記憶する。
【００６３】
［第３実施例：伝送情報が着信中であることを示す情報であって、音で報知する場合］
次に、第３実施例として伝送情報Ｄが着信中であることを示す情報（着信中データ）であって、充電台が音で着信中であることを報知する場合について説明する。第２実施例では、充電台が、着信中であることを光を用いてユーザに報知したのに対して、第３実施例では、着信中であることを音を用いてユーザに報知する。なお、第３実施例の説明にあたり上記実施例と共通する部材には同一符号を付し、それらの説明を省略する。
【００６４】
図７は、第３実施例における電話機システム１のブロック図である。子機１００の構成は、第１実施例及び第２実施例における子機１００の構成と同様である。子機１００の制御部１０１は、第２実施例の場合と同様に、着信中データを充電台２００側に送信する。但し、第３実施例においては、充電台２００が出力する着信音と、子機１００の着信音とが重畳しないように、制御部１０１は、着信報知部１１３を構成するスピーカから着信音を出力させない。
【００６５】
一方、第３実施例における充電台２００は、制御部２０１、受光素子２０２、充電部２０５、電力供給端子２０６、メモリ２５０を着脱可能に保持するメモリスロット２０７、スピーカ２２０を有する。
【００６６】
制御部２０１は、子機１００より着信中データを伝送情報Ｄとして受信すると、スピーカ２２０より着信音を出力させる。具体的には、制御部２０１は、着信中データを受信し続けている間、スピーカ２２０から着信音を出力させ、着信中データを受信しなくなったら、着信音を出力を終了させる。
【００６７】
スピーカ２２０は、制御部２０１の制御に基づいて着信音を出力する。すなわち、スピーカ２２０は、着信状態である間着信音を出力し、着信状態が解消されると着信音を出力しなくなる。なお、スピーカ２２０は、子機１００の着信報知部１１３が出力する音より大きな音で着信音を出力する。
【００６８】
なお、着信中データとともに、子機１００においてバイブレータ機能がＯＮ／ＯＦＦの何れに設定されているかを示すバイブレータ情報を伝送情報Ｄとして子機１００から充電台２００に送信する構成として、充電台２００の制御部２０１は、バイブレータ機能がＯＮである場合には、スピーカ２２０から着信音を出力させないこととしてもよい。これにより、ユーザが子機１００のバイブレータ機能をＯＮに設定していたにもかかわらず、充電台２００のスピーカ２２０から着信音を出力してしまうことを防止できる。
【００６９】
以上説明した、第３実施例における電話システム１によれば、子機１００の着信報知部１１３のスピーカから出力される着信音より大きな音の着信音がスピーカ２２０から出力されることから、騒音が著しい環境下のユーザや、耳の不自由なユーザなどであっても、着信音を聴き取りやすくなる。
【００７０】
また、大音量を発生させることが可能なスピーカを子機１００に設けることは、携帯性やバッテリー消費、デザインの点から困難であったが、充電台２００であれば可能である。
【００７１】
なお、第３実施例のスピーカ２２０は本発明の音出力部の一例であり、制御部２０１は本発明の情報提供手段の一例である。また、第３実施例におけるメモリ２５０は、着信があったことを記録する。このとき、メモリ２５０は着信時間や相手方の電話番号及び名称とともに記憶するのが好ましい。
【００７２】
［第４実施例：伝送情報が留守番電話機能の設定状態を示す情報である場合］
次に、第４実施例として伝送情報Ｄが親機の留守番電話機能のＯＮ／ＯＦＦ状態を示す情報（留守録設定データ）である場合について説明する。第４実施例では、子機が留守番電話機能を備えた親機から当該留守番電話機能のＯＮ／ＯＦＦ状態を示す情報（留守録設定データ）を受信して、当該留守録設定データを充電台に送信する。そして、充電台は、受信した留守録設定データに基づいて親機の留守番電話機能のＯＮ／ＯＦＦ状態をユーザに報知する。なお、第４実施例の説明にあたり上記実施例と共通する部材には同一符号を付し、それらの説明を省略する。
【００７３】
第４実施例における親機（図示しない）は留守番電話機能を備えている。留守番電話機能とは、当該留守番電話機能をＯＮに設定することにより、着信があった場合に相手からのメッセージを録音することができる機能である。ユーザは録音されたメッセージを親機又は子機１００で聴くことができる。親機は、ユーザにより留守番電話機能がＯＮ又はＯＦＦに設定されると（すなわち、ＯＮとＯＦＦが切り替わると）、その旨を示す情報を無線により子機１００に送信する。
【００７４】
第４実施例における子機１００の構成は、第１実施例〜第３実施例における子機１００の構成と同様である。子機１００の制御部１０１は、親機からユーザにより留守番電話機能がＯＮ又はＯＦＦに設定されたことを示す情報を受信すると、その旨を示す留守録設定データを伝送情報Ｄとして充電台２００に送信する。
【００７５】
留守録設定データは、留守番電話機能がＯＮ又はＯＦＦの何れに設定されているかのみを情報として充電台２００へ伝送すればよい。例えば、子機１００側と充電台２００側の双方で、留守番電話機能がＯＮであることを示す留守録設定データのビットパターンを「００１１０００１」、留守番電話機能がＯＦＦであることを示す留守録設定データのビットパターンを「００１１００００」、と予め決めておけば伝送情報Ｄは１byteで済む。
【００７６】
第４実施例における充電台２００の構成は、第２実施例における充電台２００の構成とほぼ同様である。すなわち、第４実施例における充電台２００は、制御部２０１、受光素子２０２、充電部２０５、電力供給端子２０６、メモリ２５０を着脱可能に保持するメモリスロット２０７、発光部２１０を有する。但し、第４実施例における発光部２１０は、ＬＥＤなどユーザが注目すれば点灯しているか否かを判断できる程度の明るさで発光する部材により構成することが好ましい。
【００７７】
制御部２０１は、子機１００から留守番電話機能がＯＮ又はＯＦＦに設定されたことを示す留守録設定データを受信すると、留守録設定データの内容に応じて発光部２１０の点灯と消灯を切り替える。例えば、制御部２０１は、留守番電話機能がＯＮである場合には、発光部２１０を点灯させ、留守番電話機能がＯＦＦである場合には、発光部２１０を消灯させる。
【００７８】
なお、発光部２１０の点灯／消灯によって留守番電話機能のＯＮ／ＯＦＦ状態を報知する代わりに、充電台２００に第１実施例のように表示制御部２０３及びディスプレイ２０４を設けて、ディスプレイ２０４に留守番電話機能のＯＮ／ＯＦＦ状態を表示することとしてもよい。例えば、制御部２０１が、子機１００から留守番電話機能がＯＮに設定されたことを示す留守録設定データを受信した場合には、ディスプレイ２０４に「ルスデンＯＮ」と表示させ、留守番電話機能がＯＦＦに設定されたことを示す留守録設定データを受信した場合には、「ルスデンＯＦＦ」と表示させる。
【００７９】
また、留守番電話機能のＯＮ／ＯＦＦ状態を報知する代わりに、親機が留守番電話機能によりメッセージを録音したか否か、すなわち録音メッセージの有無を報知することとしてもよい。具体的には、子機１００が親機から録音メッセージの有無を示す情報（メッセージ有無データ）を受信して、当該メッセージ有無データを伝送情報Ｄとして充電台２００に送信する。そして、充電台２００は、伝送情報Ｄとして受信したメッセージ有無データに基づいて、親機における録音メッセージの有無をユーザに報知する。ユーザに報知する場合には、上述したように、発光部２１０の点灯／消灯によって報知してもよいし、ディスプレイ２０４に表示することによって報知してもよい。
【００８０】
以上説明した第４実施例における電話システム１によれば、ユーザは、発光部２１０の点灯／消灯、又はディスプレイ２０４の表示から、親機の留守番電話機能のＯＮ／ＯＦＦ状態（又は録音メッセージの有無）を把握することができる。また、従来、親機の留守番電話機能のＯＮ／ＯＦＦ状態（又は録音メッセージの有無）は、子機１００のディスプレイ１０９に表示されているが、ディスプレイ１０９自体が小さかったり、暗かったりしてユーザは確認しづらかった。これに対して、発光部２１０が点灯しているか否かはユーザが発光部２１０を注目することにより容易に判別できるため、留守番電話機能のＯＮ／ＯＦＦ状態（又は録音メッセージの有無）の確認も容易になる。一方、子機１００のディスプレイ１０９より大きなディスプレイ２０４を充電台２００に設けた場合にも、ユーザの視認性が向上し、留守番電話機能のＯＮ／ＯＦＦ状態（又は録音メッセージの有無）の確認も容易になる。
【００８１】
なお、第４実施例の発光部２１０は本発明の発光部の一例であり、ディスプレイ２０４は本発明の表示部の一例であり、また、制御部２０１は本発明の情報提供手段の一例である。
【００８２】
［第５実施例：伝送情報が音声情報である場合］
次に、第５実施例として伝送情報Ｄが音声情報である場合について説明する。音声情報は、従来の子機が出力していた音声情報である。例えば、いわゆるオンフック通話機能（ユーザ側の送話音声を相手方に伝えず、相手方からの受話音声のみをスピーカから出力する機能）の使用時における受話音声情報や、親機が留守番電話機能により録音したメッセージを子機で聴く場合の再生音声情報、又は、いわゆる録音時モニター機能（親機が留守番電話機能により相手方のメッセージを録音する際、子機で相手方の音声をモニターする機能）の使用時における相手方の音声情報など、通常、子機の受話部またはスピーカから出力される音声情報である。なお、第５実施例の説明にあたり上記実施例と共通する部材には同一符号を付し、それらの説明を省略する。
【００８３】
第５実施例における親機は、子機における上述した各種機能を実現するために必要な構成を有している。それは例えば、留守番電話機能であり、子機によるオンフック通話機能を実現するために受話音声情報を子機に無線送信する構成であり、子機による録音メッセージの出力を実現するための録音メッセージに係る音声情報を子機に無線送信する構成であり、録音時モニター機能を実現するために相手方の音声情報を子機に無線送信する構成などである。
【００８４】
第５実施例における子機１００の構成は、第１実施例〜第４実施例における子機１００の構成と同様である。子機１００の制御部１０１は、親機から上述した音声情報を受信すると、当該音声情報を伝送情報Ｄとして充電台２００に送信する。また、充電台２００が出力する音声情報と、子機１００が出力する音声情報とが重畳しないように、制御部１０１は、音声情報を出力させない。
【００８５】
第５実施例における充電台２００の構成は、第３実施例における充電台２００の構成とほぼ同様である。すなわち、第５実施例における充電台２００は、制御部２０１、受光素子２０２、充電部２０５、電力供給端子２０６、メモリ２５０を着脱可能に保持するメモリスロット２０７、スピーカ２２０を有する。
【００８６】
制御部２０１は、子機１００から伝送情報Ｄとして音声情報を受信すると、当該音声情報をアナログ信号に変換してスピーカ２２０から出力させる。
【００８７】
スピーカ２２０は、制御部２０１の制御に基づいて音声情報を出力する。また、スピーカ２２０は、子機１００の受話口１０５ａ内に設けられたスピーカが出力する音より大きな音で音声情報を出力する。
【００８８】
なお、制御部２０１は、子機１００から伝送情報Ｄとして音声情報を受信した場合に、これをメモリ２５０に記憶させるとともに、ユーザの要求に応じてこれを再生することとしてもよい。
【００８９】
以上説明した第５実施例における電話システム１によれば、ユーザは、子機１００より大きな音量によって充電台２００のスピーカ２２０から音声情報を取得することができる。
【００９０】
なお、第５実施例のスピーカ２２０は本発明の音出力部の一例であり、制御部２０１は本発明の情報提供手段の一例である。また、第５実施例におけるメモリ２５０は、音声情報を記録する。
【００９１】
以上、各実施例について説明したが、各実施例における子機１００の制御部１０１による処理に相当するプログラムを不揮発性メモリ等の情報記録媒体に記録しておき、これらのプログラムを、上記各実施例の子機１００が備える構成を有する電話機に含まれるコンピュータで読み出して実行することにより、当該コンピュータを本実施形態における子機１００内の制御部１０１として活用することもできる。
【００９２】
同様に、上述した各実施例における充電台２００の制御部２０１による処理に相当するプログラムを不揮発性メモリ等の情報記録媒体に記録しておき、これらのプログラムを、上記各実施例の充電台２００が備える構成を有する載置台に含まれるコンピュータで読み出して実行することにより、当該コンピュータを本実施形態における充電台２００内の制御部２０１として活用することもできる。
【００９３】
また、通常、子機１００のディスプレイ１０９には待受画面、着信画面、操作画面などが表示されるが、これらの画面を充電台２００のディスプレイ２０４に表示させるための情報を伝送情報Ｄとして伝送し、ディスプレイ２０４で表示することとしてもよい。また、子機１００が有する情報である現在時刻、外線の使用状況（親機から取得する）、バッテリー残量等の情報を伝送情報Ｄとして伝送し、ディスプレイ２０４で表示することとしてもよい。
【００９４】
上述したように、本実施形態における電話機システム１（本願の「電話機システム」の一例）は、子機１００（本願の「電話機」の一例）と当該子機１００を載置する充電台２００（本願の「載置台」の一例）とを有し、子機１００は、充電台２００に載置された際に当該充電台２００と対向する対向面１５０に設けられた通話ランプ１０７（本願の「発光素子」の一例）と、充電台２００に載置されている場合に、伝送情報Ｄに対応する点滅パターンによって通話ランプ１０７を発光させる制御部１０１（本願の「発光制御手段」の一例）とを備え、充電台２００は、通話ランプ１０７からの光を受光する受光素子２０２（本願の「受光素子」の一例）と、受光素子が受光した光の点滅パターンに基づいて伝送情報Ｄを取得する制御部２０１（本願の「取得手段」の一例）と、を備える。
【００９５】
したがって、本実施形態における電話機システム１によれば、データ伝送専用のデータ端子や受発光部を子機１００及び充電台２００の双方に設けなくとも、通話ランプ１０７の点滅パターンによって、子機１００から、当該子機１００が載置されている充電台２００に情報を送信することができる。また、通話ランプ１０７は、通常の子機１００が備えている部材であることから子機１００に新たな部材を追加する必要がなく、ソフトウェアの改良だけでこれを実現することができ、コストの点においても優位性がある。
【００９６】
また、本実施形態では、通話ランプ１０７の点滅パターンにより伝送情報Ｄを充電台２００に送信しているが、これに代えて、上述した操作部１０６の各種キー（ダイヤルキー１０６ａ、通話キー１０６ｂ、終話キー１０６ｃ、選択／決定キー１０６ｄ、保留キー１０６ｅ、呼出キー１０６ｆなど）の点滅パターンにより伝送情報Ｄを送信することとしてもよい。更に、ディスプレイ１０９としてパックランプを備える液晶ディスプレイ等の表示装置を採用し、当該バックランプの点滅パターンにより伝送情報Ｄを送信することとしてもよい。これらの場合も、各種キー１０６やディスプレイ１０９等は、通常の子機１００が備えている部材であることから新たな部材を追加する必要がなく、ソフトウェアの改良だけでこれを実現することができ、コストの点において優位性がある。
【００９７】
更に、本実施形態では、図１に示したように受話口１０５ａ及び送話口１０５ｂが、子機１００が充電台２００に載置された際に当該充電台２００と対向する対向面１５０に設けられている。したがって、子機１００が充電台２００に載置された際に受話口１０５ａ及び送話口１０５ｂに埃が溜まりにくく衛生的である。また、受話口１０５ａ又は送話口１０５ｂの何れか一方を当該対向面１５０に設けることとしてもよく、その場合にも当該一方に埃が溜まりにくく衛生的である。
【００９８】
更にまた、本実施形態においては、本発明の電話機システムとしてコードレス親子電話機の子機１００と充電台２００とを有する電話機システムを一例として説明したが、携帯電話機とその充電台からなる電話機システムについても適用可能である。
【符号の説明】
【００９９】
１  電話機システム
１００  子機
１０１  子機／制御部
１０２  子機／無線送受信部
１０３  子機／アンテナ
１０４  子機／通話制御部
１０５  子機／送受話部
１０６  子機／操作部
１０７  子機／通話ランプ
１０８  子機／表示制御部
１０９  子機／ディスプレイ
１１０  子機／電力入力端子
１１１  子機／バッテリー
１１２  子機／電源制御部
２００  充電台
２０１  充電台／制御部
２０２  充電台／受光素子
２０３  充電台／表示制御部
２０４  充電台／ディスプレイ
２０５  充電台／充電部
２０６  充電台／電力供給端子
２０７  充電台／メモリスロット
２５０  充電台／メモリ
Ｐ  電力
Ｄ  伝送情報
【図１】
2011035762.tif 000003
【図２】
2011035762.tif 000004
【図３】
2011035762.tif 000005
【図４】
2011035762.tif 000006
【図５】
2011035762.tif 000007
【図６】
2011035762.tif 000008
【図７】
2011035762.tif 000009